(57)【要約】【課題】  洗浄力に加え、抱水性に優れたドライクリーニング用洗浄剤組成物の提供をする。【解決手段】  スチレン化フェノール、スチレン化アルキルフェノール、スチレン化フェノールアルキレンオキサイド付加物、スチレン化アルキルフェノールアルキレンオキサイド付加物、スチレン化フェノールアルキレンオキサイド付加物の脂肪酸エステル及びスチレン化アルキルフェノールアルキレンオキサイド付加物の脂肪酸エステルからなる群より選ばれる少なくとも１種の化合物を含有することを特徴とする。【選択図】  なし【特許請求の範囲】
【請求項１】
スチレン化フェノール、スチレン化アルキルフェノール、スチレン化フェノールアルキレンオキサイド付加物、スチレン化アルキルフェノールアルキレンオキサイド付加物、スチレン化フェノールアルキレンオキサイド付加物の脂肪酸エステル及びスチレン化アルキルフェノールアルキレンオキサイド付加物の脂肪酸エステルからなる群より選ばれる少なくとも１種の化合物を含有することを特徴とするドライクリーニング用洗浄剤組成物。
【請求項２】
スチレン化フェノール、スチレン化フェノールアルキレンオキサイド付加物及びスチレン化フェノールアルキレンオキサイド付加物の脂肪酸エステルの夫々は、そのフェニル環が１〜３モルのスチレンでモノ−、ジ−若しくはトリ−スチレン化されたもの、又はこれらの混合物である請求項１に記載のドライクリーニング用洗浄剤組成物。
【請求項３】
スチレン化フェノール、スチレン化フェノールアルキレンオキサイド付加物及びスチレン化フェノールアルキレンオキサイド付加物の脂肪酸エステルの夫々は、そのフェニル環が４〜１０モルのスチレンでポリ−スチレン化されたもの、又はこれらの混合物である請求項１に記載のドライクリーニング用洗浄剤組成物。
【請求項４】
スチレン化アルキルフェノール、スチレン化アルキルフェノールアルキレンオキサイド付加物及びスチレン化アルキルフェノールアルキレンオキサイド付加物の脂肪酸エステルの夫々は、そのフェニル環が１〜１０モルのスチレンでモノ−若しくはポリ−スチレン化されたもの、又はこれらの混合物である請求項１に記載のドライクリーニング用洗浄剤組成物。
【請求項５】
スチレン化フェノールアルキレンオキサイド付加物、スチレン化フェノールアルキレンオキサイド付加物の脂肪酸エステル、スチレン化アルキルフェノールアルキレンオキサイド付加物及びスチレン化アルキルフェノールアルキレンオキサイド付加物の脂肪酸エステルの夫々は、スチレン化フェノール又はスチレン化アルキルフェノールに、炭素数２〜４のアルキレンオキサイドの１種若しくは２種以上を１〜４０モル付加した化合物であるか、又はこのアルキレンオキサイド付加化合物の脂肪酸エステルである、請求項１ないし４に記載のドライクリーニング用洗浄剤組成物。
【請求項６】
スチレン化フェノール又はスチレン化アルキルフェノールに、エチレンオキサイドを３〜３０モル付加した化合物、又はこのエチレンオキサイド付加化合物の脂肪酸エステルが、スチレン化フェノールアルキレンオキサイド付加物、スチレン化フェノールアルキレンオキサイド付加物の脂肪酸エステル、スチレン化アルキルフェノールアルキレンオキサイド付加物及びスチレン化アルキルフェノールアルキレンオキサイド付加物の脂肪酸エステルである、請求項５に記載のドライクリーニング用洗浄剤組成物。
【請求項７】
スチレン化フェノールアルキレンオキサイド付加物の脂肪酸エステル、又はスチレン化アルキルフェノールアルキレンオキサイド付加物の脂肪酸エステルは、炭素数２〜２２の脂肪酸のエステルである、請求項１ないし６に記載のドライクリーニング用洗浄剤組成物。
【請求項８】
さらに、炭素数１２〜２０の炭化水素基を少なくとも１つ有する第４級アンモニウム塩、スルホコハク酸エステル又はその塩、及び、アルキルベンゼンスルホン酸又はその塩からなる群より選ばれる１種以上の化合物を含有することを特徴とする請求項１ないし７に記載のドライクリーニング用洗浄剤組成物。
【請求項９】
請求項１ないし８に記載のドライクリーニング用洗浄剤組成物と、該洗浄剤組成物に対して３０〜１０００倍容量のドライクリーニング溶剤とを含有するドライクリーニング用洗浄液。
【請求項１０】
ドライクリーニング溶剤が、パラフィン、ナフテン、芳香族炭化水素等の石油系溶剤、テトラクロロエチレン等の塩素系溶剤、HCFC-225、HFC-365等のフッ素系溶剤、環状又は直鎖状シリコーン等のシリコーン系溶剤、ｄ−リモネン等のテルペン系溶剤である、請求項９に記載のドライクリーニング用洗浄液。
【発明の詳細な説明】
【技術分野】
【０００１】
本発明は、衣類をはじめとする繊維製品のドライクリーニングに用いるドライクリーニング用洗浄剤組成物、及び、該ドライクリーニング用洗浄剤組成物とドライクリーニング溶剤とを含有するドライクリーニング用洗浄液に関する。
【背景技術】
【０００２】
ドライクリーニングとは有機溶剤を用いて繊維製品を洗浄する方法である。この有機溶剤としては、従来、パラフィン、ナフテンや芳香族炭化水素等の石油系溶剤、テトラクロロエチレン等の塩素系溶剤、ＨＣＦＣ−２２５やＨＦＣ―３６５等のフッ素系溶剤、臭化プロピル、環状又は直鎖状シリコーン等のシリコーン系溶剤、ｄ−リモネン等のテルペン系溶剤などの各種溶剤が用いられており、洗浄力や価格等の面から、石油系溶剤及び塩素系溶剤が好適に用いられている。
【０００３】
ドライクリーニングにおいては、油性汚れ及び固体汚れ等の様々な汚れの除去、再汚染防止、帯電防止、柔軟性付与などを目的として、前記溶剤にノニオン界面活性剤、アニオン界面活性剤、カチオン界面活性剤等の界面活性剤を含む洗浄剤組成物を混合し、これを洗浄液として用いている。このような洗浄剤組成物は、通常、界面活性剤以外に安定性向上剤、粘度低下剤、石油系溶剤又は塩素系溶剤等のバランス剤、抗菌剤及び金属腐食防止剤等が配合された液状組成物であって、前記溶剤に対して０.１〜５容量％の割合で添加される。
【０００４】
ところで、ドライクリーニングでは有機溶剤を用いるため、動植物油や皮脂等の油性汚れに対しては優れた洗浄力を発揮するものの、コーヒー、醤油等の水溶性食品や汗などの水溶性汚れに対しては洗浄力が不十分となる場合がある。
水溶性汚れへの対処方法としては、（１）ドライクリーニング用洗浄剤組成物と水との混合液を用いて汚れ部をブラッシングする方法、（２）水溶性汚れを除去するための前処理剤を噴霧あるいは塗布する方法、（３）有機溶剤に水又は水溶性汚れを除去するための洗浄剤を添加してエマルジョンを調製し、これを用いて洗浄を行う方法等が挙げられるが、何れの方法においても過剰な水分による輪ジミ、収縮、型崩れ、色流れなどの問題が発生しやすい。さらに、前記方法で処理された繊維製品や雨天時の高含水率の衣類等から洗浄液中に混入する水分は、溶剤から分離してドライクリーニング機の溶剤ベースタンク底部にヘドロ状物となって沈降し、微生物繁殖による腐敗臭の発生、洗浄液浄化用の活性炭を充填したカートリッジフィルターの変形や異常なフイルター圧力上昇などの問題の原因となる。
【０００５】
このような水分による問題を解消するため、ドライクリーニング用洗浄剤組成物には洗浄力に加えて抱水性が要求されている。良好な抱水性を有するドライクリーニング用洗浄剤組成物は洗浄液中に混入した水分を速やかに可溶化するため、繊維製品の収縮、型崩れ、色流れなどの問題を抑制しながら水溶性汚れを除去することができる。また、溶剤からの水分の分離を抑制することで、洗浄液浄化用フィルターの強度低下、変形、破損や圧力上昇を抑えることができる。
【０００６】
従来、抱水性を改善したドライクリーニング用洗浄剤組成物としては、アニオン界面活性剤及び／又はカチオン界面活性剤と、非イオン界面活性剤を配合したものが提案されている。具体的には、特許文献１（特開２０００−１９２０８５号公報）では、洗浄性と抱水性とに優れたドライクリーニング用洗浄剤組成物として、ジアルキルスルホコハク酸エステルもしくはその塩と非アルキルフェノールエトキシレート型の非イオン界面活性剤とを主成分とし、さらに炭素数１〜１５のアルキル又はアルケニル基を１つ以上有するアルキル又はアルケニルベンゼンスルホン酸塩を含有するドライクリーニング用洗浄剤組成物が開示されている。
【０００７】
特許文献２（特開２００２−３２２４９４号公報）には、水の可溶化能（すなわち抱水性）が大きく、水溶性汚れに対する洗浄性が優れるドライクリーニング用洗浄剤として、ソルビタン脂肪酸エステル５〜５０質量％と石油系溶剤を含有する非水系洗浄剤組成物が開示されており、さらにポリオキシエチレンソルビタン脂肪酸エステルや、スルホコハク酸又はその塩、リン酸エステル又はその塩、ポリオキシリン酸エステル又はその塩等の補助成分を添加することが記載されている。
【０００８】
また、特許文献３（特開２００３−２４７１６０号公報）には、抱水性に優れ、油性汚れ及び水溶性汚れに対する洗浄力に優れるドライクリーニング用洗浄剤として、炭素数１１〜２１の直鎖アルキル基又は直鎖アルケニル基を有するアルキルベンゼンスルホン酸アルカリ金属塩及びアルカリ土類金属塩、ポリオキシエチレンアルキルエーテル、ポリオキシエチレンアルキルフェノールエーテル等の非イオン界面活性剤並びにアルコール系溶剤を含有する組成物が開示されている。
しかし、これらのドライクリーニング用洗浄剤組成物は抱水性が不十分であって、実用濃度において満足する性能が得られないのが現状であった。
【特許文献１】特開２０００−１９２０８５号公報
【特許文献２】特開２００２−３２２４９４号公報
【特許文献３】特開２００３−２４７１６０号公報
【発明の開示】
【発明が解決しようとする課題】
【０００９】
本発明は、優れた抱水性を発揮するドライクリーニング用洗浄剤組成物、及び、該ドライクリーニング用洗浄剤組成物とドライクリーニング溶剤とを含有するドライクリーニング用洗浄液を提供しようとするものである。
【課題を解決するための手段】
【００１０】
本発明者らは、スチレン化フェノール、スチレン化アルキルフェノール、これらのアルキレンオキサイド付加物及びその脂肪酸エステルを含有するドライクリーニング用洗浄剤組成物が、水溶性汚れに対する強い洗浄力を有するのはもちろんのこと、優れた抱水性をも有することを見出し、その知見に基づいて本発明を完成するに至った。
【００１１】
すなわち、本発明は、スチレン化フェノール、スチレン化アルキルフェノール、スチレン化フェノールアルキレンオキサイド付加物、スチレン化アルキルフェノールアルキレンオキサイド付加物、スチレン化フェノールアルキレンオキサイド付加物の脂肪酸エステル及びスチレン化アルキルフェノールアルキレンオキサイド付加物の脂肪酸エステルからなる群より選ばれる少なくとも１種の化合物を含有することを特徴とするドライクリーニング用洗浄剤組成物を提供するものである。
【００１２】
ここで、スチレン化フェノール、スチレン化フェノールアルキレンオキサイド付加物及びスチレン化フェノールアルキレンオキサイド付加物の脂肪酸エステルの夫々は、そのフェニル環が１〜３モルのスチレンでモノ−、ジ−若しくはトリ−スチレン化されたもの、又はこれらの混合物でありうる。
【００１３】
更にまた、このスチレン化フェノール、スチレン化フェノールアルキレンオキサイド付加物及びスチレン化フェノールアルキレンオキサイド付加物の脂肪酸エステルの夫々は、そのフェニル環が４〜１０モルのスチレンでポリ−スチレン化されたもの、又はこれらの混合物であってもよい。
【００１４】
また、上記スチレン化アルキルフェノール、スチレン化アルキルフェノールアルキレンオキサイド付加物及びスチレン化アルキルフェノールアルキレンオキサイド付加物の脂肪酸エステルについては、そのフェニル環が１〜１０モルのスチレンでモノ−若しくはポリ−スチレン化されたもの、又はこれらの混合物でありうる。
【００１５】
そして、スチレン化フェノールアルキレンオキサイド付加物、スチレン化フェノールアルキレンオキサイド付加物の脂肪酸エステル、スチレン化アルキルフェノールアルキレンオキサイド付加物及びスチレン化アルキルフェノールアルキレンオキサイド付加物の脂肪酸エステルの夫々については、スチレン化フェノール又はスチレン化アルキルフェノールに、炭素数２〜４のアルキレンオキサイドの１種若しくは２種以上を１〜４０モル付加した化合物であるか、又はこのアルキレンオキサイド付加化合物の脂肪酸エステルであることができる。
【００１６】
そして上記したアルキレンオキサイド付加物であるが、これは、スチレン化フェノール又はスチレン化アルキルフェノールに、エチレンオキサイドを３〜３０モル付加した化合物、又はこのエチレンオキサイド付加化合物の脂肪酸エステルが、好ましく用いられる。
【００１７】
また、上記したスチレン化フェノールアルキレンオキサイド付加物の脂肪酸エステル、又はスチレン化アルキルフェノールアルキレンオキサイド付加物の脂肪酸エステルは、炭素数２〜２２の脂肪酸のエステルである。
【００１８】
そして本発明のドライクリーニング用洗浄剤組成物は、上記した成分に加えて、さらに、炭素数１２〜２０の炭化水素基を少なくとも１つ有する第４級アンモニウム塩、スルホコハク酸エステル又はその塩、及び、アルキルベンゼンスルホン酸又はその塩からなる群より選ばれる１種以上の化合物を含有することがありうる。
【００１９】
そして本発明によれば、上記したドライクリーニング用洗浄剤組成物に、該洗浄剤組成物に対して３０〜１０００倍容量のドライクリーニング溶剤を混合してなるドライクリーニング用洗浄液も提供され、ドライクリーニング溶剤として、パラフィン、ナフテン、芳香族炭化水素等の石油系溶剤、テトラクロロエチレン等の塩素系溶剤、HCFC-225、HFC-365等のフッ素系溶剤、環状又は直鎖状シリコーン等のシリコーン系溶剤、ｄ−リモネン等のテルペン系溶剤が用いうるものとする。
【発明の効果】
【００２０】
本発明のドライクリーニング用洗浄剤組成物は洗浄性と抱水性に優れており、ドライクリーニング溶剤と混合して用いることによりドライクリーニング用洗浄液中に混入する水分を速やかに可溶化することができるので、衣類をはじめとする繊維製品のドライクリーニングに好適に用いることができる。
【発明を実施するための最良の形態】
【００２１】
本発明のドライクリーニング用洗浄剤組成物は、（Ａ）スチレン化フェノール、スチレン化アルキルフェノール、スチレン化フェノールアルキレンオキサイド付加物、スチレン化アルキルフェノールアルキレンオキサイド付加物、スチレン化フェノールアルキレンオキサイド付加物の脂肪酸エステル及びスチレン化アルキルフェノールアルキレンオキサイド付加物の脂肪酸エステルからなる群より選ばれる少なくとも１種の化合物を含有することを特徴とする。
【００２２】
スチレン化フェノールとしては、モノスチレン化フェノールと、ジスチレン化フェノール、トリスチレン化フェノール、ペンタスチレン化フェノール等のポリスチレン化（スチレン２〜１０モル）フェノールが挙げられる。なお、洗浄性と抱水性とのバランスから、スチレンの付加モル数は１〜５モルであることが好ましく、１〜３モルであることがより好ましい。
【００２３】
スチレン化アルキルフェノールとしては、メチルフェノール（クレゾール）、エチルフェノール、プロピルフェノール、イソプロピルフェノール、オクチルフェノール、ノニルフェノール等の炭素数１〜１０のアルキル基でモノ置換されたフェノールまたはキシレノール、チモール、カルバクロール等の炭素数１〜５のアルキル基でジ置換されたフェノールのスチレン化物が挙げられる。そしてこれらのアルキル化フェノールのスチレン化の段階によって、モノスチレン化アルキルフェノール、ジスチレン化アルキルフェノール、トリスチレン化アルキルフェノールのほかに、ポリスチレン化したアルキルフェノール（スチレンの付加モル数〜１０モル）が挙げられる。
なお、洗浄性と抱水性とのバランスから、スチレンの付加モル数は１〜５モルであることが好ましい。
【００２４】
スチレン化フェノールアルキレンオキサイド付加物及びスチレン化アルキルフェノールアルキレンオキサイド付加物は、前記スチレン化フェノール又はスチレン化アルキルフェノールに、炭素数２〜４のアルキレンオキサイドを付加した化合物が挙げられる。その付加形態は１種のアルキレンオキサイド付加物の単独付加、２種以上のアルキレンオキサイド付加物のランダム又はブロック付加のいずれでもよいが、抱水性を良好なものにするためにはエチレンオキサイドの単独付加であることが好ましい。なお、付加モル数は好ましくは１〜４０モル、より好ましくは３〜３０である。
【００２５】
また、本発明において用いられる、前記アルキレンオキサイド付加物の脂肪酸エステルは、炭素数８〜２２の脂肪酸のエステルであることが好ましく、脂肪酸は飽和であっても不飽和であってもよい。このような化合物は、末端がエステル化されていることにより、前記アルキレンオキサイド付加物よりも抱水性の面では性能がやや低下することもあるが、一方でドライクリーニング溶剤との相溶性が向上するために、ドライクリーニング用洗浄液の安定性や洗浄性が良好となる。
【００２６】
ドライクリーニング用洗浄剤組成物における、これら（Ａ）成分の含有量は合計で１〜３５質量％であることが好ましく、より好ましくは３〜３０質量％である。（Ａ）成分の含有量が上記範囲未満であると抱水性が十分に発揮されないおそれがあり、上記範囲を超えても使用量に見合うだけの抱水性の向上が得られない場合がある。
【００２７】
本発明のドライクリーニング用洗浄剤組成物においては、前記（Ａ）成分に加えて、ノニオン界面活性剤を併用することができる。ノニオン界面活性剤としては、ポリオキシアルキレンアルキルエーテル、ポリオキシアルキレンアルケニルエーテル、ポリオキシアルキレン脂肪酸エステル、ポリオキシアルキレンアルキルフェノールエーテル、ショ糖エステル、ポリオキシアルキレンショ糖エステル、ソルビタン脂肪酸エステル、ポリオキシアルキレンソルビタン脂肪酸エステル、脂肪酸アルカノールアミド又はそのアルキレンオキサイド付加物、モノグリセリン脂肪酸エステル、アルキルグルコシド等が挙げられ、これらのなかでも、脂肪酸アルカノールアミドを併用すると、ドライクリーニング用洗浄剤組成物の抱水性が向上するので好ましい。これらノニオン界面活性剤の配合量は、目的とする性能に応じて適宜調整することができるが、ドライクリーニング用洗浄剤組成物中に好ましくは５〜３０質量％、より好ましくは１０〜３０質量％とすると抱水性向上の相乗効果が十分に発揮される。
【００２８】
本発明のドライクリーニング洗浄剤組成物は、洗浄性、再汚染防止性、帯電防止性、柔軟性等の性能を向上させるために、（Ｂ）炭素数１２〜２０の炭化水素基を１つ以上有する第４級アンモニウム塩、スルホコハク酸エステル又はその塩、及び、アルキルベンゼンスルホン酸又はその塩からなる群より選ばれる少なくとも１種の化合物を併用することが好ましい。
【００２９】
炭素数１２〜２０の炭化水素基を１つ以上有する第４級アンモニウム塩において、炭化水素基は、直鎖状であっても分岐鎖を有しているものであってもよく、また、飽和であっても不飽和であってもよい。なお、第４級アンモニウム塩の対イオンとしては、従来公知のものを特に制限なく挙げることができ、例えば、ハロゲンイオン、炭素数１〜４のモノアルキルスルホネート、炭素数１〜１８のモノもしくはジアルキルホスホネート、ベンゼンスルホネート、キシレンスルホネート、ｐ−トルエンスルホネート等の芳香族スルホネートなどを挙げることができる。このような第４級アンモニウム塩としては、例えば、ステアリルジメチルエチルアンモニウム・エチルサルフェート、ラウリルジメチルヒドロキシエチルアンモニウム・ｐ−トルエンスルホネート、ステアリルジメチルヒドロキシエチルアンモニウム・ｐ−トルエンスルホネート、ステアリルアミノエチルジメチルヒドロキシエチルアンモニウム・ｐ−トルエンスルホネート等を挙げことができる。
【００３０】
スルホコハク酸エステルについては、洗浄性の観点からスルホコハク酸ジアルキルエステルを用いることが好ましく、アルキル基の炭素数は８〜２０であることが好ましい。このようなスルホコハク酸エステルとしては、例えば、スルホコハク酸ビス（２−エチルヘキシル）、スルホコハク酸ジデシル、スルホコハク酸ジドデシルが挙げられる。また、これらの塩としては、アルカリ金属塩又はアルカリ土類金属塩が挙げられる。
【００３１】
アルキルベンゼンスルホン酸塩としては、炭素数８〜２０のアルキル基を有するものが好ましく、例えば、ドデシルベンゼンスルホン酸、オクタデシルベンゼンスルホン酸等を好適に用いることができる。また、これらの塩としては、アルカリ金属塩、アルカリ土類金属塩、又は、モノエタノールアミン塩、ジエタノールアミン塩、トリエタノールアミン塩、トリプロパノールアミン塩等のアルカノールアミン塩が挙げられる。
【００３２】
本発明のドライクリーニング用洗浄剤組成物において、前記（Ａ）成分と（Ｂ）成分とを併用する場合は、ドライクリーニング用洗浄剤組成物の洗浄性と抱水性とのバランスから、両者の配合割合を質量比で１：６〜５：１とすることが好ましい。
【００３３】
また、本発明のドライクリーニング用洗浄剤組成物には溶解助剤を配合してもよい。溶解助剤としては、融点が０℃以上であり引火点が４０℃以上であるアルコール系溶剤が好ましく、例えば、ジプロピレングリコールモノメチルエーテル、ジエチレングルコールモノエチルエーテル、エチレングリコールモノブチルエーテル、３−メチル−３−メトキシブタノール、エチレングリコール、プロピレングリコール、トリレングリコール、テトラエチレングルコール、１,３―ブタンジオール等が挙げられる。これらのなかでもエチレングリコールモノブチルエーテル、ジプロピレングリコールモノブチルエーテル、３−メチル−３−メトキシブタノールがより好ましい。ドライクリーニング用洗浄剤組成物における溶解助剤の配合量は、好ましくは１〜２０質量％、より好ましくは５〜１５質量％とする。さらに、本発明のドライクリーニング用洗浄剤組成物には、トリクロサン等の抗菌剤、ベンゾトリアゾール等の腐食防止剤、石油系溶剤、塩素系溶剤、フッ素系溶剤、シリコーン系溶剤、テルペン系溶剤等の溶剤など、一般的にドライクリーニング用洗浄剤組成物に配合される成分を、本発明の効果を損なわない範囲において配合することができる。
【００３４】
このようなドライクリーニング用洗浄剤組成物はドライクリーニング溶剤に添加して使用する。その添加量は目的とする性能に応じて適宜調整することができるが、例えば、ドライクリーニング用洗浄剤組成物と該洗浄剤組成物に対して３０〜１０００倍容量のドライクリーニング溶剤とを混合し、これをドライクリーニング用洗浄液として用いる。なお、ドライクリーニング溶剤としては、従来公知のものを特に制限無く用いることができ、パラフィン、ナフテンや芳香族炭化水素等の石油系溶剤、テトラクロロエチレン等の塩素系溶剤、ＨＣＦＣ−２２５やＨＦＣ―３６５等のフッ素系溶剤、臭化プロピル、環状又は直鎖状シリコーン等のシリコーン系溶剤、ｄ−リモネン等のテルペン系溶剤等を挙げることができる。これらの溶剤は、１種を単独で用いることもできるし、２種以上を併用することもできる。これらのうち、石油系溶剤又は塩素系溶剤で使用すると、本発明の洗浄剤組成物の抱水性がとりわけ発揮されるので好ましい。
【実施例】
【００３５】
以下、実施例を挙げて本発明をさらに詳しく説明するが、本発明はこれらの実施例により何ら制限されるものではない。
なお、得られたドライクリーニング用洗浄剤組成物の性能を、以下の方法にしたがって評価した。
【００３６】
実施例１〜７及び比較例１〜４
２５ｍｌ共栓付試験管に、ドライクリーニング溶剤として石油系溶剤（新日本石油(株)製、製品名「ニューソルＤＸ」）を２０ｍｌと、実施例又は比較例のドライクリーニング用洗浄剤組成物０.２ｍｌとを入れて攪拌した後、これにイオン交換水を２μｌずつ添加し、その都度激しく攪拌した。攪拌後、静置して目視により外観を確認し、溶液が白濁した時点を終点とした。白濁するまでのイオン交換水の量を最大可溶化水量として、溶剤に対する可溶化水の量の体積比を算出し、抱水能（ｐｐｍ）とした。
【００３７】
実施例８〜１４及び比較例５〜９
２５ｍｌ共栓付試験管に、ドライクリーニング溶剤としてテトラクロロエチレンを２０ｍｌと、実施例又は比較例のドライクリーニング用洗浄剤組成物０.０６ｍｌとを入れて攪拌した後、これにイオン交換水を２μｌずつ添加し、その都度激しく攪拌した。攪拌後、静置して目視により外観を確認し、溶液が白濁した時点を終点とした。白濁するまでのイオン交換水の量を最大可溶化水量として、溶剤に対する可溶化水の量の体積比を算出し、抱水能（ｐｐｍ）とした。
【００３８】
水溶性汚れの洗浄性
汚染布の作製
評価に用いる汚染布を、クリーニング総合研究所の水溶性汚れ除去判定用の染料汚染布作成法に基づいて作成した。すなわち、Ａｃｉｄ  Ｖｉｏｌｅｔ  ６Ｂ［東京化成(株)］とＫａｙａｃｒｙｌ  Ｂｌｕｅ  ＨＲＬ［日本化薬(株)］とを質量比４：６で混合したものを汚染染料として用い、この汚染染料の０.０７５質量％水溶液にポリエステルスポンジを常温（約２５℃）で浸漬した後、色彩計［(株)村上色彩技術研究所、クリーンマスターＣＭ−５３Ｄ］による５５０ｎｍにおける反射率が３５±１％になるように、マングルを用いて絞り、風乾した。
【００３９】
実施例１〜７及び比較例１〜４
５００ｍｌステンレスポットに、石油系溶剤（新日本石油(株)製、製品名「ニューソルＤＸ」）２０ｍｌ及び実施例１〜７及び比較例１〜４のドライクリーニング用洗浄剤組成物を０.２ｍｌを入れて攪拌し、これに前記の汚染布（４ｃｍ×１０ｃｍ）及び白布（綿金巾、ウールサージ、アクリルジャージ、ポリエステルジャージ、各４ｃｍ×１０ｃｍ）各１枚を入れ、ラウンダ・オ・メーター［大栄化学精器製作所(株)、Ｌ−２０］で５分間の攪拌洗浄をおこなった。その後、遠心脱水機［栄光産業(株)、Ｈ−１２０Ａ］を用いて３０秒間脱液し、８時間風乾した。洗浄した布と洗浄していない布とを対比し、下記の基準で目視判定をおこなった。
【００４０】
実施例８〜１４および比較例５〜９
５００ｍｌステンレスポットに、テトラクロロエチレン２０ｍｌと実施例８〜１４および比較例５〜９のドライクリーニング用洗浄剤組成物０.０６ｍｌとを入れ、これに前記の汚染布（４ｃｍ×１０ｃｍ）及び白布（綿金巾、ウールサージ、アクリルジャージ、ポリエステルジャージ、各４ｃｍ×１０ｃｍ）各１枚を入れ、ラウンダ・オ・メーター［大栄化学精器製作所(株)、Ｌ−２０］で１０分間の攪拌洗浄をおこなった。その後、遠心脱水機［栄光産業(株)、Ｈ−１２０Ａ］を用いて３０秒間脱液し、８時間風乾した。洗浄した布と洗浄していない布とを対比し、下記の基準で目視判定をおこなった。
【００４１】
◎：目視にて汚れ落ちがはっきりとわかる。
○：目視にて汚れ落ちがわかる。
△：目視にて汚れ落ちがややわかる。
×：目視では汚れ落ちがわからない
【００４２】
実施例１〜７及び比較例１〜４
表１に示す成分及び組成でドライクリーニング用洗浄剤組成物を調製し、性能を評価した。評価結果を表１に併せて示す。実施例及び比較例で用いた化合物は以下の通りである。
（Ａ−１）：トリスチレン化フェノール
（Ａ−２）：ジスチレン化ノニルフェノール
（Ａ−３）：トリスチレン化フェノールエチレンオキサイド５モル付加物
（Ａ−４）：モノスチレン化ノニルフェノールエチレンオキサイド８モル付加物
（Ａ−５）：トリスチレン化フェノールエチレンオキサイド１０モル付加物のオレイン酸            エステル
（Ｂ−１）：パルミチルジメチルヒドロキシエチルアンモニウム・オクチルホスフェート（Ｂ−２）：ドデシルベンゼンスルホン酸カリウム
（Ｂ−３）：スルホコハク酸ビス（２−エチルヘキシル）ナトリウム
（ノニオン１）：ヤシ脂肪酸ジエタノールアミド
（ノニオン２）：２級アルコール（炭素数１２〜１４）エチレンオキサイド５モル付加物
（(株)日本触媒製、製品名「ソフタノール５０」）
（ノニオン３）：ノニルフェノールエチレンオキサイド４モル付加物
（ノニオン４）：ソルビタントリオレート
（溶解助剤）：エチレングリコールモノブチルエーテル
（石油系溶剤）：ニューソルＤＸ（新日本石油(株)製）
【表１】
2009126969.tif 000002
【００４３】
実施例８〜１７及び比較例５〜９
表２−１、表２−２に示す成分及び組成でドライクリーニング用洗浄剤組成物を調製し、性能を評価した。評価結果を表２−１、表２−２に併せて示す。実施例及び比較例で用いた化合物は以下の通りである。
（Ａ−１）：トリスチレン化フェノール
（Ａ−６）：ペンタスチレン化フェノールエチレンオキサイド１７モル付加物
（Ａ−７）：トリスチリレン化フェノールエチレンオキサイド１７モル付加物
（Ａ−８）：モノスチレン化ノニルフェノールエチレンオキサイド１７モル付加物
（Ａ−９）：トリスチレン化フェノールエチレンオキサイド１７モル付加物のオレイン酸            エステル
（Ｂ−４）：ラウリルジメチルヒドロキシエチルアンモニウム・ｐ−トルエンスルホネー            ト
（Ｂ−５）：スルホコハク酸ビス（２−エチルヘキシル）ナトリウム
（Ｂ−６）：ドデシルベンゼンスルホン酸カリウム
（ノニオン６）：オレイン酸ジエタノールアミド
（ノニオン３）：ノニルフェノールエチレンオキサイド４モル付加物
（ノニオン５）：２級アルコール（炭素数１２〜１４）エチレンオキサイド１２モル付加                物（(株)日本触媒製、製品名「ソフタノール１２０」）
（溶解助剤）：３−メチル−３−メトキシブタノール
（塩素系溶剤）：テトラクロロエチレン
【００４４】
【表２】
2009126969.tif 000003
【００４５】
【表３】
2009126969.tif 000004
【００４６】
本発明のドライクリーニング用洗浄剤組成物はいずれも水溶性汚れの洗浄性と抱水性に優れている。一方、比較例のドライクリーニング用洗浄剤組成物は、抱水性が本発明のものと比較して劣っており、水溶性汚れの洗浄性は劣る傾向にある。
【産業上の利用可能性】
【００４７】
本発明のドライクリーニング用洗浄剤組成物を用いれば、ドライクリーニング用洗浄液中に混入する水分による悪影響、すなわち、繊維製品の収縮、型崩れ、色流れなどの問題を起こすことなくドライクリーニングが可能となる。また、洗浄液浄化用フィルターの強度低下、変形、破損や圧力上昇を抑えることができ、作業上のトラブルを抑えることができる。